(57)【要約】【課題】プリントベンダーで１枚のプリント紙に複数の画像データを配置して印刷する場合であって印刷する画像データの画像サイズが小さい場合に、当該画像データの印刷が制限されることを示す印刷制限情報を該画像データに対応付けて表示すること。【解決手段】画像データを画像記録装置から取り込む画像データ取り込み、取込まれた画像データを表示する。前記画像データを１枚のプリント紙に何枚印刷するかを示す分割数情報を入力する分割数情報入力手段を設け、前記画像データの画像サイズが前記分割数情報入力手段により入力された分割数情報と対応付けて記憶される所定のサイズ以上であるか否かを判別し、前記所定のサイズに満たないと判別された画像データは印刷が制限されることを示す印刷制限情報を表示する。【選択図】      図９
2008193733.tif 000002
【特許請求の範囲】
【請求項１】
画像データを取り込む画像データ取り込み手段と、
この画像データ取り込み手段により取込まれた画像データを表示する画像データ表示手段と、
前記画像データを１枚のプリント紙に配置する分割数情報を入力する分割数情報入力手段と、
前記画像データの画像サイズが前記分割数情報入力手段により入力された分割数情報と対応付けて記憶される所定のサイズ以上であるか否かを判別し、前記所定のサイズに満たないと判別された画像データは印刷が制限されることを示す印刷制限情報を該画像データに対応付けて前記画像データ表示手段に表示する表示手段、
を備えたことを特徴とする画像印刷販売装置。
【請求項２】
前記分割数情報入力手段により入力される分割数情報は選択可能に表示され、ユーザに前記分割数情報を選択させて入力することを特徴とする請求項１記載の画像印刷販売装置。
【請求項３】
前記表示手段は、
前記印刷制限情報として前記画像データ表示手段に表示される該画像データをグレーに表示することを特徴とする請求項１記載の画像印刷販売装置。
【請求項４】
画像印刷販売装置のコンピュータを、
画像データを取り込む画像データ取り込み手段、
この画像データ取り込み手段により取込まれた画像データを表示する画像データ表示手段、
前記画像データを１枚のプリント紙に配置する分割数情報を入力する分割数情報入力手段、
前記画像データの画像サイズが前記分割数情報入力手段により入力された分割数情報と対応付けて記憶される所定のサイズ以上であるか否かを判別し、前記所定のサイズに満たないと判別された画像データは印刷が制限されることを示す印刷制限情報を該画像データに対応付けて前記画像データ表示手段に表示する表示手段、
として機能させるプログラム。
【発明の詳細な説明】
【技術分野】
【０００１】
本発明は、デジタルカメラ、カメラ付き携帯電話機等の画像記録装置から供給された画像データを印刷して販売する画像印刷販売装置、及びそのプログラムに関する。
【背景技術】
【０００２】
近年、街角や建物内に配置され、画像を記録したメモリカード等の記録媒体から画像を読み込んで編集加工も可能とし、有料にて画像印刷するようにした画像印刷販売装置（以下、プリントベンダーと呼ぶ）によって、デジタルカメラ、携帯電話機等の画像記録装置により記録された画像データを手軽に写真印刷できるようになっている。また、画像記録装置からデータ通信ケーブルを介して、或いは通信回線を利用してサーバ経由でプリントベンダーに画像を取り込むこともできる。即ち、画像印刷販売装置においては、画像記録装置で記録された画像データを取り込み、表示装置に各種プリント指定情報の入力画面を表示し、表示された画面から印刷したい画像やプリントスタイル、枚数等が入力されると、入力された画像データを入力された指定情報に基づいて写真印刷する。
【０００３】
例えば、特許文献１には、所望する印刷対象画像の選択や印刷サイズの指定、画質指定を顧客所有の端末装置を利用して自宅等で行うことができる画像印刷販売装置が開示されている。
【０００４】
【特許文献１】特開２００１−１４８０６８号公報
【発明の開示】
【発明が解決しようとする課題】
【０００５】
しかしながらプリントベンダーで１枚のプリント紙に複数の画像データを配置して印刷する場合であって印刷する画像データの画像サイズが小さい場合、仕上がり画像が高画質でないという問題があった。
【０００６】
本発明の課題は、プリントベンダーで１枚のプリント紙に複数の画像データを配置して印刷する場合であって印刷する画像データの画像サイズが小さい場合に、当該画像データの印刷が制限されることを示す印刷制限情報を該画像データに対応付けて表示することである。
【課題を解決するための手段】
【０００７】
上記課題を解決するため、請求項１に記載の発明は、画像データを取り込む画像データ取り込み手段と、この画像データ取り込み手段により取込まれた画像データを表示する画像データ表示手段と、前記画像データを１枚のプリント紙に配置する分割数情報を入力する分割数情報入力手段と、前記画像データの画像サイズが前記分割数情報入力手段により入力された分割数情報と対応付けて記憶される所定のサイズ以上であるか否かを判別し、前記所定のサイズに満たないと判別された画像データは印刷が制限されることを示す印刷制限情報を該画像データに対応付けて前記画像データ表示手段に表示する表示手段、を備えたことを特徴とする。
【０００８】
更に、該端末装置のコンピュータを上述した請求項１記載の発明に示した各手段として機能させるためのプログラムを提供する（請求項４記載の発明）。
【０００９】
請求項２に記載の発明は、請求項１記載の画像印刷販売装置において、前記分割数情報入力手段により入力される分割数情報は選択可能に表示され、ユーザに前記分割数情報を選択させて入力することを特徴とする。
【００１０】
請求項３に記載の発明は、請求項１記載の画像印刷販売装置において、前記表示手段は、前記印刷制限情報として前記画像データ表示手段に表示される該画像データをグレーに表示することを特徴とする。
【発明の効果】
【００１１】
本発明によれば、プリントベンダーで１枚のプリント紙に複数の画像データを配置して印刷する場合であって印刷する画像データの画像サイズが小さい場合に、当該画像データの印刷が制限されることを示す印刷制限情報を該画像データに対応付けて表示することができる。
【発明を実施するための最良の形態】
【００１２】
以下、図を参照して本発明の実施の形態を詳細に説明する。
まず、構成を説明する。
図１に、本発明の全体構成及び本発明に係るプリントベンダー１の外観を示す。図１に示すように、プリントベンダー１には、操作パネル１１ａ、表示パネル１２ａ、端末接続部１４ａ、金銭投入口１５ａ、金銭返却口１５ｂ、印刷物取出口１６ａ、記録媒体挿入口１８ａ〜１８ｄが設けられている。
【００１３】
プリントベンダー１は、例えば、写真店や街角等に設置され、デジタルカメラ、カメラ付き携帯電話機、ＰＣ（Personal Computer）、ＰＤＡ（Personal Digital Assistants）等の画像データを記録した画像記録装置（以降、携帯電話機２を例に説明する。）から通信ケーブル３を介して入力された、或いは記録媒体挿入口１８ａ〜１８ｄに挿入された記録媒体を介して入力された画像データのうち、指定された画像を指定されたスタイルで指定された枚数分写真プリントして出力する画像印刷販売装置である。
【００１４】
図２にプリントベンダー１の機能的構成を示す。図２に示すように、プリントベンダー１は、ＣＰＵ１０、入力装置１１、表示装置１２、ＲＡＭ１３、伝送制御部１４、金銭授受装置１５、印刷装置１６、記録装置１７、記録媒体接続部１８等により構成され、各部はバス１９により接続されている。
【００１５】
ＣＰＵ（Central Processing Unit）１０は、記録装置１７に記憶されているシステムプログラムを読み出し、ＲＡＭ１３内に形成されたワークエリアに展開し、該システムプログラムに従って各部を制御する。また、ＣＰＵ１０は、記録装置１７に記憶されているプリント販売処理プログラムを始めとする各種処理プログラムを読み出してワークメモリに展開し、後述するプリント販売処理等を始めとする各種処理を実行し、それらの処理結果をＲＡＭ１３のワークエリアに記憶する。そして、ワークエリアに格納した処理結果を記録装置１７内の指定の保存先に保存させる。
【００１６】
入力装置１１は、ＬＣＤ（Liquid Crystal Display）から成る操作パネル１１ａ等により構成され、ＣＰＵ１０から入力される表示信号の指示に従って表示画面上に、表示装置１２に表示された各種選択画面に応じた各種操作ボタンの表示を行う。ＬＣＤの表示画面上は、透明電極を格子状に配置して構成された感圧式（抵抗膜圧式）のタッチパネルに覆われており、手指やタッチペン等で押下された力点のＸＹ座標を電圧値で検出し、検出された位置信号を操作信号としてＣＰＵ１０に出力する。
【００１７】
表示装置１２は、ＬＣＤ（Liquid Crystal Display）等からなる表示パネル１２ａにより構成され、ＣＰＵ１０から入力される表示信号の指示に従って、表示パネル１２ａの画面上に、プリント選択画面、画像選択方法指定画面、プリント画像選択画面等を始めとする各種画面を表示する。
【００１８】
ＲＡＭ（Random ACCESS Memory）１３は、ＣＰＵ１０により実行されるシステムプログラム、各種処理プログラム、各処理において処理中のデータ、処理結果などを一時的に記憶するワークエリアを形成する。
【００１９】
伝送制御部１４は、端末接続部１４ａに差し込まれた通信ケーブル３により携帯電話機２を始めとする画像記録装置との間でデータ送受信を行い、受信データをＣＰＵ１０に出力する。
【００２０】
金銭授受装置１５は、携帯電話機２から指定されたプリントスタイルやプリント枚数に基づいて料金を算出する。また、金銭投入口１５ａから投入された金額や偽造を判定し、料金と投入金額に基づいて返金額を算出し、その返金額に相当するつり銭を金銭返却口１５ｂから返却する。また、計算された料金、投入金額、返金額のデータをＣＰＵ１０に出力する。
【００２１】
印刷装置１６は、単数あるいは複数のプリンタを備え、伝送制御部１４を介して、或いは記録媒体接続部１８を介して入力された画像データに応じて変調した光ビームで感光材料（印画紙、シール）を走査露光して潜像を記録し、露光済みの感光材料に湿式の現像処理や乾燥処理を施して、仕上がりプリントとしてプリント受取口１６ａに出力する。また、印刷装置１６には、レシートを印刷するレシート印刷用紙が含まれる。
【００２２】
記録装置１７は、プリントベンダー１に対応するシステムプログラム、プリント販売処理プログラムを始めとする各種処理プログラム、各種データ等が予め記憶されており、この記録装置１７は、磁気的、光学的記録媒体、若しくは半導体メモリなどＣＰＵ１０で読取り可能な記録媒体を含んだ構成である。この記録媒体はＣＤ−ＲＯＭ（Compact Disc Read Only Memory）、メモリカード等の可搬型の媒体やハードディスク等の固定的な媒体を含む。また、プリントベンダー１をモデム、ＴＡ（Terminal Adapter）やルータ等により構成される通信制御部を備える構成とし、記録媒体に格納するプログラム、データ等の一部若しくは全部をサーバやクライアントからＷＡＮ（Wide Area Network）、ＬＡＮ（Local Area Network）などのネットワークを介して受信する構成にしてもよく、更に、記録媒体はネットワーク上に構築されたサーバやクライアントの記録媒体であってもよい。
【００２３】
記録媒体接続部１８は、例えば、フラッシュメモリカードの挿入口１８ａ、スマートメディアカードの挿入口１８ｂ、メモリースティックの挿入口１８ｃ、フロッピー（登録商標）ディスクの挿入口１８ｄの各挿入口に挿入された可搬型記録媒体とデータの入出力を行うためのインターフェースである。なお、記録媒体としては、上述したものに限定されず、例えば、ＳＤカード（Secure Digital memory card）、ＰＣカード、ＭＯ（magneto-optic）等を装着可能な構成としてもよい。
【００２４】
次に、本実施の形態の動作を説明する。
図３に、ＣＰＵ１０により実行されるプリント販売処理を示す。
【００２５】
まず、ＲＡＭ１３のワークエリアが初期化され（ステップＳ１）、表示装置１２にスタート画面が表示されると（ステップＳ２）、入力装置１１によりスタートが指示されるまで待機する。入力装置１１によりスタートが指示されると（ステップＳ３；ＹＥＳ）、表示装置１２にプリント選択画面が表示される（ステップＳ４）。
【００２６】
図４に、図３のステップＳ４で表示装置１２に表示されるプリント選択画面の一例を示す。図４に示すように、プリント選択画面では、記録メディア挿入口１８ａ〜１８ｄの何れかに挿入された記録媒体（ここでは、メモリカード）に記録されている画像データをプリントする「メモリカードからプリント」と、携帯電話機２から通信ケーブル３を介して送信される画像データをプリントする「ケータイからプリント」の何れか一つのプリント方法が選択できるようになっている。
【００２７】
プリント選択画面から「メモリカードからプリント」が選択されると（ステップＳ５；ＮＯ）、他の処理へ移行する（ステップＳ６）。プリント選択画面から「ケータイからプリント」が選択されると（ステップＳ５；ＹＥＳ）、伝送制御部１４により、プリントベンダー１と携帯電話機２を接続しているシリアル転送の設定を初期化し転送レートを最大にして、データを転送するのに最適な設定が行われる（ステップＳ７）。この際、携帯電話機２の機種毎に転送設定が異なる場合があるため、予めプリントベンダー１の記録装置１７に携帯電話機２の機種別の転送設定ファイルを用意しておき、そのファイルから携帯電話機２の機種に応じた転送設定が行われることが望ましい。また、通信する携帯電話機２の機種の転送設定ファイルがプリントベンダー１に存在しない場合は、携帯電話機２から転送設定を取得して記録装置１７に記憶することが望ましい。次いで、表示装置１２に画像選択方法指定画面が表示される（ステップＳ８）。
【００２８】
図５に、図３のステップＳ８で表示装置１２に表示される画像選択方法指定画面の一例を示す。図５に示すように、画像選択方法指定画面には、携帯電話機２に記録されている画像データのうちプリントベンダー１に転送する画像データを、画像データの付帯情報である撮影日により選択する「撮影日で選ぶ」と、画像データの付帯情報であるファイル名により選択する「ファイル名で選ぶ」の何れか一つの方法が選択できるようになっている。
【００２９】
画像選択方法指定画面から「ファイル名で選ぶ」が選択されると（ステップＳ９；ＮＯ）、後述するファイルリスト処理（図６参照）が実行される（ステップＳ１０）。一方、「撮影日で選ぶ」が選択されると（ステップＳ９；ＹＥＳ）、後述する画像ヘッダ解析処理（図７参照）が実行される（ステップＳ１１）。
【００３０】
図６に、ファイルリスト処理を示す。
伝送制御部１４を介して、携帯電話機２に対して携帯電話機２の記憶部あるいは記録媒体に記録されている画像データのファイル名リストの転送要求が送信され、携帯電話機２からのファイル名リストが受信されることにより、ファイル名リストが取り込まれると（ステップＳ１０１）、取り込まれたファイル名リストがＲＡＭ１３に格納され（ステップＳ１０２）、表示装置１２に表示される（ステップＳ１０３）。
【００３１】
入力装置１１により、表示されたファイル名リストからファイル名が選択指定されると（ステップＳ１０４；ＹＥＳ）、選択されたファイル数が計算され、ファイル名リストの各ファイル名にファイルＮＯが１から順に付与される（ステップＳ１０５）。次いで、伝送制御部１４を介して携帯電話機２に対して選択されたファイル名の画像データの転送要求が１ファイル分ずつ送信され、画像データが転送されて取り込まれると（ステップＳ１０６）、取り込まれた画像データがＲＡＭ１３に格納され、そのサムネイル画像が表示装置１２の転送画面に表示される（ステップＳ１０７）。この転送画面には、画像データ転送中は「転送中」と表示され、転送後に画像がサムネイル表示されるので、ユーザは現在画像データが転送中であるか否か及び転送が終了した画像を確認することができる。入力装置１１により転送終了が指示されなければ（ステップＳ１０８；ＮＯ）、画像データの転送回数がカウントされ（ステップＳ１０９）、転送回数が選択されたファイル数に満たなければ（ステップＳ１１０；ＮＯ）、ファイルＮＯ．をインクリメントし（ステップＳ１１１）、ステップＳ１０６〜Ｓ１１１が繰り返し実行される。ステップＳ１０８で入力装置１１により画像データ転送の終了が指示された場合（ステップＳ１０８；ＮＯ）又は転送回数が選択されたファイル数以上になった場合は（ステップＳ１１０；ＹＥＳ）、図３のステップＳ２４に移行する。
【００３２】
図７に、画像ヘッダ解析処理を示す。
伝送制御部１４を介して、携帯電話機２に対して携帯電話機２の記憶部あるいは記録媒体に記録されている画像データのファイル名リストの転送要求が送信され、携帯電話機２からのファイル名リストが受信されることにより、ファイル名リストが取り込まれると（ステップＳ１２１）、取り込まれたファイル名リストがＲＡＭ１３に格納される（ステップＳ１２２）。次いで、ファイル名リストのファイル数が計算され、各ファイル名にファイルＮＯ．が１から順に付与される（ステップＳ１２３）。
【００３３】
続いて、伝送制御部１４を介して携帯電話機２に対してファイルＮＯ．順に１ファイルずつ、画像データと対応付けられているヘッダデータの転送要求が送信され、ヘッダデータが転送されて取り込まれると（ステップＳ１２４）、取り込まれたヘッダデータが順次ＲＡＭ１３に格納される（ステップＳ１２５）。ＲＡＭ１３に格納されたデータから撮影日データが取得されない場合は（ステップＳ１２６；ＮＯ）、ヘッダデータＥＮＤまで転送されているか否かが判断され（ステップＳ１２７）、ヘッダデータＥＮＤまで転送されていなければ（ステップＳ１２７；ＮＯ）、ヘッダデータが全て取り込まれるまでステップＳ１２５〜Ｓ１２７が繰り返し実行される。ＲＡＭ１３に格納されたデータから撮影日データが取得されず（ステップＳ１２６；ＮＯ）、ヘッダデータＥＮＤまで転送されている場合は、撮影日データがないものとして（ステップＳ１２８）、ステップＳ１２９に移行する。ＲＡＭ１３に格納されたデータから撮影日データが取得された場合（ステップＳ１２６；ＹＥＳ）、あるいは撮影日データがない場合は、ファイル名リストの当該ファイルＮＯ．のファイル名と撮影日データとを対応付けることにより、マッチングデータが作成される（ステップＳ１２９）。なお、撮影日データがない場合はなしを示すデータがファイル名に対応付けられる。入力装置１１から転送終了が指示されなければ（ステップＳ１３０；ＮＯ）、転送回数がカウントされ（ステップＳ１３１）、転送回数がファイル数に満たなければ（ステップＳ１３２）、ファイルＮＯ．がインクリメントされ（ステップＳ１３３）、ステップＳ１２４〜Ｓ１３３が繰り返し実行される。ステップＳ１３０で転送終了が指示された場合、或いは転送回数がファイル数以上になった場合は（ステップＳ１３２；ＹＥＳ）、図３のステップＳ１２に移行する。
【００３４】
図３のステップＳ１２において、撮影日とファイル名のマッチングデータを撮影日順にソートすることにより撮影日リストが作成されると（ステップＳ１２）、作成された撮影日リストに基づいて表示カレンダーが作成され（ステップＳ１３）、表示装置１２に表示される（ステップＳ１４）。表示されたカレンダーから撮影日が選択されると（ステップＳ１５；ＹＥＳ）、撮影日リストから、選択された撮影日に対応するファイル名が抽出され（ステップＳ１６）、抽出されたファイル数が計算され、各ファイル名にファイルＮＯ．が１から順に付与される（ステップＳ１７）。
【００３５】
次いで、伝送制御部１４を介して携帯電話機２に対して抽出されたファイル名の画像データの転送要求が１ファイル分ずつ送信され、画像データが転送されて取り込まれると（ステップＳ１８）、取り込まれた画像データがＲＡＭ１３に格納され、そのサムネイル画像が表示装置１２の転送画面に表示される（ステップＳ１９）。入力装置１１により転送終了が指示されなければ（ステップＳ２０；ＮＯ）、転送回数がカウントされ（ステップＳ２１）、転送回数が抽出されたファイル数に満たない場合（ステップＳ２２；ＮＯ）、ファイルＮＯ．がインクリメントされ（ステップＳ２３）、ステップＳ１８〜Ｓ２３が繰り返し実行される。ステップＳ２０で入力装置１１により画像データ転送の終了が指示された場合（ステップＳ２０；ＮＯ）、又は転送回数が抽出されたファイル数以上になった場合は（ステップＳ２２；ＹＥＳ）、後述するプリントスタイル選択処理（図８参照）が実行され（ステップＳ２４）、続いて課金／プリント処理が実行される（図１２参照）（ステップＳ２５）。課金／プリント終了後、表示装置１２に終了画面が表示され（ステップＳ２６）、終了画面上で続けて印刷することが指示された場合は（ステップＳ２７；ＹＥＳ）、図３のステップＳ８に移行する。続けて印刷することが指示されなかった場合には（ステップＳ２７；ＮＯ）、図３のステップＳ１に移行する。
【００３６】
なお、プリント販売処理は、プリントベンダー１の電源がＯＮである場合には繰り返し実行されるが、電源がＯＦＦになると、処理は終了する。
【００３７】
図８に、プリントスタイル選択処理を示す。
まず、表示装置１２にプリント画像選択画面が表示される（ステップＳ１４１）。
図９にプリント画像選択画面の一例を示す。
ここで、プリントベンダー１においては、携帯電話機２から転送されたファイルの画像を４分割サイズ（Ｌ版を４分割したサイズ、Ｌ版１枚の大きさに４つの画像を配置する）又は９分割サイズ（Ｌ版を９分割したサイズ、Ｌ版１枚の大きさに９つの画像を配置する）でプリントする。４分割サイズでプリントするか９分割でプリントするかは、ユーザが入力装置１１により図９に示すプリント画像選択画面上で選択できるようになっているが、プリントベンダー１においては、仕上がり画像の画質を高画質にするため４分割サイズでのプリントは画像サイズが所定サイズ以上のファイル、例えば６４０×４８０ｄｏｔ以上のファイルのみに制限されている。即ち、プリントベンダー１においては、ＣＰＵ１０により画像サイズが所定サイズ以上か否かが判断され、所定サイズに満たない場合は、所定の出力画像サイズ以上でのプリント出力が行われないように制限される。図９に示すように、プリント画像選択画面で４分割サイズが指定されると、６４０×４８０ｄｏｔ以上の画像ファイルが選択可能となり、カラー画像として表示され、６４０×４８０ｄｏｔに満たないファイルは選択不可能となり、グレー表示され、「９分割限定」という通知が表示される。プリント画像選択画面のデフォルト設定は４分割サイズとなっており、６４０×４８０ｄｏｔに満たないファイルはグレー表示される。
【００３８】
プリント画像選択画面から４分割／９分割が変更されると（ステップＳ１４２；ＹＥＳ）、変更された分割数に応じて画像の表示方法を変更して（ステップＳ１４３）、プリント画像選択画面が表示される。例えば、４分割が選択されている画面から９分割が選択されると、６４０×４８０ｄｏｔに満たないファイルがカラー表示に変更され、「９分割限定」という文字が消去されて画像の選択が可能となる。
【００３９】
プリント画像選択画面から画像が選択された後（ステップＳ１４４）、ページボタンが押下されてページ選択がなされると（ステップＳ１４５；ＹＥＳ）、ページボタンの押下に応じてページが＋／−に移行し（ステップＳ１４６）、指定されたページに応じたプリント画像選択画面が表示される（ステップＳ１４１）。なお、転送されたファイル数が少なく、プリント画像選択画面の１頁内に全てが表示可能である場合には、ページボタンは表示されない。プリント画像選択画面から画像が選択され、選択終了が指示されると（ステップＳ１４７；ＹＥＳ）、選択された画像によりプリント画像が合成されてプリント画面が作成、表示される（ステップＳ１４８）。
【００４０】
図１０にプリント画面の一例を示す。図１０に示すように、プリント画面には、プリントの出力イメージ、プリント枚数を指定するための＋ボタン、−ボタン、画像順変更ボタン、縦／横指定領域、プリント紙選択領域、日付印刷指定領域、枚数クリアボタン、料金表示領域等が表示されている。
【００４１】
表示装置１２に表示されたプリント画面から画像順変更が指示されると（ステップＳ１４９；ＹＥＳ）、後述する画像順変更処理が実行される（図１１参照）（ステップＳ１５０）。プリント紙が選択されると（ステップＳ１５１；ＹＥＳ）、選択された用紙（標準又はシール）形式が出力イメージに反映され（ステップＳ１５２）、プリント画面が表示される。縦／横スタイルが選択されると（ステップＳ１５３；ＹＥＳ）、選択された縦／横スタイルが出力イメージに反映され（ステップＳ１５４）、プリント画面が表示される。日付印刷の有／無が選択されると（ステップＳ１５５；ＹＥＳ）、日付印刷の有無が反映されて（ステップＳ１５６）、プリント画面が表示される。プリント枚数が指定されると（ステップＳ１５７；ＹＥＳ）、指定されたプリント枚数が表示に反映され（ステップＳ１５８）、プリント画面が表示される。枚数クリアが指定されると（ステップＳ１５９；ＹＥＳ）、表示の枚数がクリアされて（ステップＳ１６０）、プリント画面が表示される。プリント画面から設定（ＯＫ）が指示されると（ステップＳ１６１；ＹＥＳ）、設定された内容でプリント指定情報が生成され（ステップＳ１６２）、処理は図３のステップＳ２５に移行する。
【００４２】
図１１に、画像順変更処理を示す。
表示装置１２に、印刷する画像を順番に並べて表示した画像順変更画面が表示され（ステップＳ１７１）、この画面から撮影日順の並び替えが選択されると（ステップＳ１７２）、画像が撮影日順に並び替えられて（ステップＳ１７３）、画像順変更画面が表示される。撮影日順の並び替えが選択されず（ステップＳ１７２；ＮＯ）、順番を変更する画像が選択されて前／後が指示されると（ステップＳ１７４；ＹＥＳ）、選択された画像の位置が前／後の指示に応じた順番にくるように画面が反映されて（ステップＳ１７５）、画像順変更画面が表示される。画像順変更画面からページボタンが押下されてページ選択がなされると（ステップＳ１７６；ＹＥＳ）、ページボタンの押下に応じてページが＋／−に移行し（ステップＳ１７７）、指定されたページに応じた画像順変更画面表示される。なお、印刷するものとして選択されたファイル数が少なく、画像順変更画面の１頁内に全ての画像が表示可能である場合には、ページボタンは表示されない。画像順変更画面から選択クリアが指示されると（ステップＳ１７８；ＹＥＳ）、画像順変更画面の画像順がはじめに表示されていたデフォルト設定に変更され（ステップＳ１７９）、表示される。画像順変更画面から設定が指示されると（ステップＳ１８０；ＹＥＳ）、処理は図８のステップＳ１４８に移行する。
【００４３】
図１２に、課金／プリント処理を示す。
まず、表示装置１２に、プリント内容に応じた料金精算画面が表示され（ステップＳ１８１）、所定の投入金額が投入されたことが金銭授受装置１５により確認されるのを待機する（ステップＳ１８２）。所定の投入金額が投入されると（ステップＳ１８２；ＹＥＳ）、プリント状況を表示するプリント処理画面が表示される（ステップＳ１８３）。そして、印刷装置１６によりプリント指定情報に基づいて画像データの画像形成が行われ、プリントが出力される（ステップＳ１８４）。印刷装置１６のプリントの終了が確認され（ステップＳ１８５；ＹＥＳ）、レシート発行が指示されると（ステップＳ１８６：ＹＥＳ）、レシートが発行される（ステップ１８７）。レシート発行が指示されない場合（ステップＳ１８６；ＮＯ）又はレシート発行後、処理は図３のステップＳ２６に移行する。
【００４４】
以上説明したように、プリントベンダー１によれば、携帯電話機２から通信ケーブル３を介してシリアル転送により画像データを取り込む場合、プリントする画像データをファイル名により選択するか撮影日により選択するかの選択画面が表示装置１２に表示される。入力装置１１によりファイル名により選択することが指示されると、携帯電話機２に対して画像データのファイル名リストの転送要求が行われ、ファイル名リストが取り込まれると、ファイル名リストが表示装置１２に表示される。そして、ファイル名が選択されると、携帯電話機２に対して選択されたファイル名の画像データ転送要求が行われ、転送により取り込まれた画像データとユーザにより指定されたプリント指定情報に基づいてプリントが行われる。
【００４５】
一方、撮影日により選択することが指示されると、携帯電話機２に画像データのファイル名リストの転送要求が行われ、ファイル名リストが転送されて取り込まれると、ファイル名毎にヘッダデータの転送要求が行われ、ヘッダデータが転送されて取り込まれると、ヘッダデータから撮影日データが取得され、ファイル名と対応付けてマッチングデータが作成され、マッチングデータを撮影日順にソートすることにより撮影日リストが作成され、表示装置１２に撮影日をカレンダー上に表示した画面が表示される。表示画面上のカレンダーから撮影日が選択されると、携帯電話機２に対して選択された撮影日に対応するファイル名の画像データの転送要求が行われ、転送により取り込まれた画像データとユーザにより指定されたプリント指定情報に基づいてプリントが行われる。
【００４６】
また、プリントベンダー１によれば、携帯電話機２から画像データが転送された際に表示装置１２に転送された画像が表示され、画像データを転送中に、転送終了が指示された際には、選択された全ての画像データが取り込まれていなくても画像データの転送が終了される。また、画像データのサイズに応じて、出力プリントの画像サイズが制限される。
【００４７】
従って、画像データのサイズに応じて出力プリントのサイズが制限されるので、高画質なプリントのみを出力することができる。
【００４８】
なお、上記実施の形態における記述内容は、本実施の形態における好適な一例であり、これに限定されるものではない。
例えば、本実施の形態においては、携帯電話機２からのデータは、通信ケーブル３を介してプリントベンダー１に供給されることとしたが、これに限定されず、例えば、コネクタ接続、微弱無線や赤外線等を利用した無線通信により行う構成としてもよい。また、転送方式はシリアル転送であってもパラレル転送であってもよい。
【００４９】
また、プリントスタイル選択処理実行時等において選択入力を待機しているとき等、処理の空き時間に、携帯電話機２に対して選択されていない画像データの転送要求を行って画像データを取り込み、転送された画像データをＲＡＭ１３に記憶するとともに表示装置１２に表示するようにしてもよい。これにより、選択されなかった画像データを他の処理に影響することなく順次取り込むので転送効率を上げることができる。また、ユーザは、転送された画像データにプリントしたい画像があった場合には、再度画像データの転送を待機する必要がなくなり、利便性が向上する。
【００５０】
また、上記実施の形態においては、携帯電話機２を例に説明しているが、これに限定されず、例えばデジタルカメラやＰＤＡ（Personal Digital Assistance）、デジタルウォッチ等においても本発明を適用することができる。
【００５１】
その他、プリントベンダー１の細部構成及び細部動作に関しても、本発明の趣旨を逸脱することのない範囲で適宜変更可能である。
【図面の簡単な説明】
【００５２】
【図１】本発明の一実施の形態における全体構成及び本発明に係るプリントベンダー１の外観を示す図である。
【図２】図１のプリントベンダー１の機能的構成を示すブロック図である。
【図３】図２のＣＰＵ１０により実行されるプリント販売処理を示すフローチャートである。
【図４】図３のステップＳ４で表示装置１２に表示されるプリント選択画面の一例を示す図である。
【図５】図３のステップＳ８で表示装置１２に表示される画像選択方法指定画面の一例を示す図である。
【図６】図２のＣＰＵ１０により実行されるファイルリスト処理を示すフローチャートである。
【図７】図２のＣＰＵ１０により実行される画像ヘッダ解析処理を示すフローチャートである。
【図８】図２のＣＰＵ１０により実行されるプリントスタイル選択処理を示すフローチャートである。
【図９】図８のステップＳ１４１で表示装置１２に表示されるプリント画像選択画面の一例を示す図である。
【図１０】図８のステップＳ１４８で表示装置１２に表示されるプリント画面の一例を示す図である。
【図１１】図２のＣＰＵ１０により実行される画像順変更処理を示すフローチャートである。
【図１２】図２のＣＰＵ１０により実行される課金／プリント処理を示すフローチャートである。
【符号の説明】
【００５３】
１  プリントベンダー
２  携帯電話機
３  通信ケーブル
１０  ＣＰＵ
１１  入力装置
１２  表示装置
１３  ＲＡＭ
１４  伝送制御部
１５  金銭授受装置
１６  印刷装置
１７  記録装置
１８  記録媒体接続部
１９  バス
【図１】
2008193733.tif 000003
【図２】
2008193733.tif 000004
【図３】
2008193733.tif 000005
【図４】
2008193733.tif 000006
【図５】
2008193733.tif 000007
【図６】
2008193733.tif 000008
【図７】
2008193733.tif 000009
【図８】
2008193733.tif 000010
【図９】
2008193733.tif 000011
【図１０】
2008193733.tif 000012
【図１１】
2008193733.tif 000013
【図１２】
2008193733.tif 000014